(57)【要約】【課題】厨房用空間での作業性を低下させることのない状態で、蒸気ボイラにて生成した蒸気を蒸気利用機器に供給するための配管作業の簡略化を図り、しかも、蒸気ボイラから蒸気利用機器に至る配管途中での放熱量を低下させて熱効率の向上を図ることができる厨房設備を提供する。【解決手段】厨房用空間Ｓに並設される複数の厨房用機器Ｂのうちの少なくとも一部が、蒸気ボイラ１５から供給される蒸気を用いて作業処理する蒸気利用機器Ｊである厨房設備であって、作業用天板部３Ａの下方に蒸気ボイラ１５を配設した作業台３が、複数の厨房用機器Ｂと並ぶ状態で設置されている。【選択図】図１
2014180451.tif 000002
【特許請求の範囲】
【請求項１】
厨房用空間に並設される複数の厨房用機器のうちの少なくとも一部が、蒸気ボイラから供給される蒸気を用いて作業処理する蒸気利用機器である厨房設備であって、
作業用天板部の下方に前記蒸気ボイラを配設した作業台が、複数の前記厨房用機器と並ぶ状態で設置されている厨房設備。
【請求項２】
前記作業台が、前記蒸気ボイラを備えるユニット状に構成されている請求項１記載の厨房設備。
【請求項３】
前記作業台における前記作業用天板部の下方に前記蒸気ボイラに供給する湯水を貯留する湯水貯留タンクが、前記蒸気ボイラの横側方に並ぶ状態で設けられている請求項１又は２記載の厨房設備。
【請求項４】
前記蒸気利用機器から排出されるドレンを前記湯水貯留タンクに戻すドレン流路が設けられている請求項３記載の厨房設備。
【請求項５】
前記湯水貯留タンクの湯水貯留量が設定値以下になると外部からの湯水を補給する湯水補給手段が設けられている請求項４記載の厨房設備。
【請求項６】
前記作業台における前記作業用天板部の下方に、外部から供給される湯水を軟水に処理する軟水器が、前記蒸気ボイラの横側方に並ぶ状態で設けられ、
前記湯水補給手段が、前記軟水器にて軟水処理された湯水を前記湯水貯留タンクに供給する状態で設けられている請求項５記載の厨房設備。
【請求項７】
前記蒸気ボイラが、前記蒸気利用機器に接続される蒸気供給部に対して複数のボイラ本体を並列接続する形態に構成されている請求項１〜６のいずれか１項に記載の厨房設備。
【請求項８】
前記蒸気利用機器が、被加熱物を加熱するための水を貯留した処理槽の内部に、前記蒸気ボイラからの蒸気が供給される水加熱用の熱交換パイプを配設した槽式の作業処理器であり、
前記熱交換パイプが、上下方向に沿って螺旋状に巻回する形態に構成されている請求項１〜７のいずれか１項に記載の厨房設備。
【発明の詳細な説明】
【技術分野】
【０００１】
本発明は、厨房用空間に並設される複数の厨房用機器のうちの少なくとも一部が、蒸気ボイラから供給される蒸気を用いて作業処理する蒸気利用機器である厨房設備に関する。
【背景技術】
【０００２】
かかる厨房設備の従来例として、湯煎槽を備えた湯煎器、給湯槽を備えた給湯器、蒸煮槽を備えた蒸し器が、蒸気利用機器として開示されたものがある（例えば、特許文献１参照。）。
【０００３】
特許文献１においては、複数の厨房用機器が厨房用空間に並設されることについての説明はないが、一般には、流し台、冷蔵庫、温蔵庫、食器洗浄機等の機器類と、上述した蒸気利用機器とが、厨房用機器として厨房用空間の床部に並設されることになる。
尚、温蔵庫や食器洗浄機も、蒸気が供給されて温蔵処理するものや洗浄処理するものがあり、そのような場合には、温蔵庫や食器洗浄機も蒸気利用機器に相当する。
【０００４】
また、特許文献１には、蒸気ボイラの設置に関する詳しい説明はないが、一般には、蒸気ボイラが屋外に設置され、蒸気ボイラにて生成した蒸気を供給する蒸気供給管が、屋外から屋内の厨房用空間に向けて配管されて、蒸気利用機器に供給されることになる。
【先行技術文献】
【特許文献】
【０００５】
【特許文献１】特開平１０−５１３１号公報
【発明の概要】
【発明が解決しようとする課題】
【０００６】
蒸気ボイラが屋外に設置される場合には、蒸気ボイラにて生成した蒸気を蒸気利用機器に供給するための配管作業が、建物の外壁を貫通する状態で蒸気供給管を設置しなければならない等に起因して、大掛かりで複雑な作業となるものであり、改善が望まれるものであった。
【０００７】
また、蒸気ボイラを屋外に設置する際には、諸々の制約のために蒸気ボイラの設置箇所を厨房用空間から大きく離れた箇所に定めなければならない場合があり、このような場合には、蒸気ボイラと蒸気利用機器とを接続する配管長さが長くなることに起因して、配管作業が面倒な作業となるばかりでなく、蒸気ボイラから蒸気利用機器に至る配管途中での放熱量が多くなる不都合があり、この点からも改善が望まれるものであった。
【０００８】
本発明は、上記実状に鑑みて為されたものであって、その目的は、厨房用空間での作業性を低下させることのない状態で、蒸気ボイラにて生成した蒸気を蒸気利用機器に供給するための配管作業の簡略化を図り、しかも、蒸気ボイラから蒸気利用機器に至る配管途中での放熱量を低下させることができる厨房設備を提供する点にある。
【課題を解決するための手段】
【０００９】
本発明の厨房設備は、厨房用空間に並設される複数の厨房用機器のうちの少なくとも一部が、蒸気ボイラから供給される蒸気を用いて作業処理する蒸気利用機器であるものであって、その第１特徴構成は、
作業用天板部の下方に前記蒸気ボイラを配設した作業台が、複数の前記厨房用機器と並ぶ状態で設置されている点を特徴とする。
【００１０】
すなわち、複数の厨房用機器と並ぶ状態で設置される作業台における作業用天板部の下方に、蒸気利用機器に蒸気を供給する蒸気ボイラが配置されることになるから、蒸気ボイラが、蒸気利用機器に対して近づいた状態で厨房用空間に位置することになる。
【００１１】
したがって、蒸気ボイラと蒸気利用機器とを蒸気供給管にて接続する配管作業は、蒸気ボイラと蒸気利用機器とが同じ厨房用空間内に位置するため、外壁を貫通させる等の面倒な作業を必要としない簡略化した作業となり、しかも、蒸気ボイラと蒸気利用機器とが近づいて位置することによって配管長さが短いものとなるため、この点からも、簡略化した作業となる。
【００１２】
また、蒸気ボイラと蒸気利用機器とが近づいて位置することによって配管長さが短いものとなるから、蒸気ボイラから蒸気利用機器に至る配管途中での放熱量を低下させることができるものとなる。
【００１３】
さらに、本発明の第１特徴構成によれば、複数の厨房用機器と並ぶ状態で設置することになる作業台における作業用天板部の下方箇所に、蒸気ボイラを設置するものであるから、蒸気ボイラの設置空間の上方箇所を、調理作業等の諸々の作業を行う作業空間として利用できるものとなるため、厨房用空間の一部が蒸気ボイラを設置するための専有空間となることを回避して、蒸気ボイラを厨房用空間に設置しながらも、厨房用空間の作業性を低下させることがない。
【００１４】
つまり、厨房用空間の一部が蒸気ボイラを設置するための専有空間になると、蒸気ボイラの設置のために、厨房用空間における作業空間が実質的に狭くなって、作業性を低下させるものとなるが、蒸気ボイラの設置空間の上方箇所を、調理作業等の諸々の作業を行う作業空間として利用する形態で蒸気ボイラを設置するものであるから、厨房用空間においては必ず必要とする作業空間を確保しながら、房用空間の一部が蒸気ボイラを設置するための専有空間となることを回避することができるため、厨房用空間の作業性を低下させることがない。
【００１５】
要するに、本発明の第１特徴構成によれば、厨房用空間での作業性を低下させることのない状態で、蒸気ボイラにて生成した蒸気を蒸気利用機器に供給するための配管作業の簡略化を図り、しかも、蒸気ボイラから蒸気利用機器に至る配管途中での放熱量を低下させることができる厨房設備を提供できる。
【００１６】
本発明の厨房設備の第２特徴構成は、上記第１特徴構成に加えて、
前記作業台が、前記蒸気ボイラを備えるユニット状に構成されている点を特徴とする。
【００１７】
すなわち、作業台が、蒸気ボイラを備えるユニット状に構成されているから、作業台を設置することによって、蒸気ボイラを設置することができるため、設置された作業台における作業用天板部の下方箇所に、別途蒸気ボイラを設置するようにするのに較べて、蒸気ボイラの設置作業の簡略化を図ることができる。
【００１８】
要するに、本発明の第２特徴構成によれば、上記第１特徴構成による作用効果に加えて、蒸気ボイラの設置作業の簡略化を図ることができる厨房設備を提供できる。
【００１９】
本発明の厨房設備の第３特徴構成は、上記第１又は第２特徴構成に加えて、
前記作業台における前記作業用天板部の下方に前記蒸気ボイラに供給する湯水を貯留する湯水貯留タンクが、前記蒸気ボイラの横側方に並ぶ状態で設けられている点を特徴とする。
【００２０】
すなわち、蒸気ボイラに供給する湯水を貯留するために装備することになる湯水貯留タンクが、作業台における作業用天板部の下方に設けられているから、作業台における作業用天板部の下方の空間を、湯水貯留タンクを設置する空間としても利用しながら、蒸気ボイラと湯水貯留タンクとを近接して配置できるため、それら蒸気ボイラと湯水貯留タンクとを接続する配管作業やその配管部分をメンテナンスするメンテナンス作業を良好に行えるものとなる。
【００２１】
ちなみに、一般に、湯水貯留タンクに貯留された湯水は、湯水供給ポンプによって蒸気ボイラに供給されることになるため、作業台における作業用天板部の下方に、蒸気ボイラ及び湯水貯留タンクを配設する場合には、湯水供給ポンプも作業用天板部の下方に配設することになる。
【００２２】
したがって、蒸気ボイラと湯水貯留タンクとを接続する配管作業は、湯水貯留タンクと湯水供給ポンプとを接続しかつ湯水供給ポンプと蒸気ボイラとを接続する作業となるが、作業台における作業用天板部の下方に、湯水貯留タンク、湯水供給ポンプ、及び、蒸気ボイラが近接して配備されているため、その配管作業を良好に行え、また、その配管部分をメンテナンスするメンテナンス作業を良好に行えることになる。
【００２３】
また、本発明の第３特徴構成によれば、湯水貯留タンクが、作業台における作業用天板部の下方に、蒸気ボイラの横側方に並ぶ状態で設けられるものであるから、作業台の作業用天板部の高さが、湯水貯留タンクの設置のために高くなることを回避できる。
【００２４】
つまり、湯水貯留タンクを蒸気ボイラの上方箇所に配設するようにすると、作業台の作業用天板部の高さが高くなり過ぎて、調理作業等の諸々の作業を行い難いものとなるが、上述の如く、作業台の作業用天板部の高さが、湯水貯留タンクの設置のために高くなることを回避できるため、作業台の作業用天板部の高さを、調理作業等の諸々の作業を行い易い高さにして、作業台の作業用天板部を用いた作業を良好に行えるものとなる。
【００２５】
要するに、本発明の第３特徴構成によれば、上記第１又は第２特徴構成による作用効果に加えて、蒸気ボイラと湯水貯留タンクとを接続する配管作業やその配管部分をメンテナンスするメンテナンス作業を良好に行え、しかも、作業台の作業用天板部を用いた作業を良好に行える厨房設備を提供できる。
【００２６】
本発明の厨房設備の第４特徴構成は、上記第３特徴構成に加えて、
前記蒸気利用機器から排出されるドレンを前記湯水貯留タンクに戻すドレン流路が設けられている点を特徴とする。
【００２７】
すなわち、蒸気利用機器から排出されるドレンを湯水貯留タンクに戻すドレン流路が設けられているから、蒸気ボイラにて生成された蒸気が蒸気利用機器にて作業処理のために使用されることによって発生するドレンが、湯水貯留タンクに戻されるため、蒸気ボイラのエネルギー消費量を減少させて、省エネ化を図ることができる。
【００２８】
つまり、蒸気ボイラにて生成された蒸気が蒸気利用機器にて作業処理のために使用されることによって発生するドレンは、１００℃程度の高温であるため、その高温のドレンを湯水貯留タンクに戻すようにすることによって、蒸気ボイラにて蒸気生成のために使用するエネルギーの消費量が減少して、省エネ化を図ることができるのである。
【００２９】
そして、蒸気利用機器と、作業台における作業用天板部の下方に配置されている蒸気ボイラ及び湯水貯留タンクとは、同じ厨房用空間に配置されている関係上、近づいて位置するものであるから、ドレン流路を形成するための配管作業を行うにしても、その配管する長さが短いため、配管のために全体構成が高価となることを回避でき、また、配管途中での放熱によりドレンの温度が大きく低下することを回避して、高温状態のドレンを適切に湯水貯留タンクに戻すことができる。
【００３０】
要するに、本発明の第４特徴構成によれば、蒸気利用機器と蒸気ボイラ及び湯水貯留タンクとが近づいて位置することに鑑みて、蒸気利用機器から排出されるドレンを湯水貯留タンクに戻すドレン流路を設けることにより、全体構成が高価となることを回避しながらも、高温状態のドレンを適切に湯水貯留タンクに戻すようにして、省エネ化を図ることができる厨房設備を提供できる。
【００３１】
本発明の厨房設備の第５特徴構成は、上記第４特徴構成に加えて、
前記湯水貯留タンクの湯水貯留量が設定値以下になると外部からの湯水を補給する湯水補給手段が設けられている
点を特徴とする。
【００３２】
すなわち、蒸気利用機器から排出されるドレンが、ドレン流路から湯水貯留タンクに戻されることによって、湯水貯留タンクには、湯水が常時補給されるものであるが、蒸気利用機器が蒸気を洗浄対象物に噴出して洗浄する洗浄装置である等、蒸気利用機器が蒸気を消費する場合には、湯水貯留タンクの湯水貯留量が設定値以下に低下することがあり、そのような場合には、湯水補給手段によって、外部からの湯水が湯水貯留タンクに自動的に補給されることになる。
【００３３】
つまり、蒸気利用機器から排出されるドレンを、湯水貯留タンクに補給する湯水として優先して使用しながらも、湯水貯留タンクの湯水貯留量が設定値以下となった場合には、湯水補給手段によって、外部からの湯水が湯水貯留タンクに補給されることによって、蒸気ボイラに湯水を適切に供給できるようにするのである。
【００３４】
要するに、本発明の第５特徴構成によれば、上記第４特徴構成による作用効果に加えて、蒸気利用機器から排出されるドレンを、湯水貯留タンクに補給する湯水として優先して使用し、かつ、湯水貯留タンクの湯水貯留量が設定値以下となったときには、外部からの湯水を湯水貯留タンクに補給して、蒸気ボイラに湯水を適切に供給できる厨房設備を提供できる。
【００３５】
本発明の厨房設備の第６特徴構成は、上記第５特徴構成に加えて、
前記作業台における前記作業用天板部の下方に、外部から供給される湯水を軟水に処理する軟水器が、前記蒸気ボイラの横側方に並ぶ状態で設けられ、
前記湯水補給手段が、前記軟水器にて軟水処理された湯水を前記湯水貯留タンクに供給する状態で設けられている点を特徴とする。
【００３６】
すなわち、外部から供給される湯水を軟水に処理する軟水器が設けられて、湯水貯留タンクの湯水貯留量が設定値以下となったときに湯水を湯水貯留タンクに補給する水補給手段が、軟水器にて軟水処理された湯水を湯水貯留タンクに供給する状態で設けられているから、蒸気ボイラには、スケールの発生の原因となるミネラル分（無機塩類）が少ない湯水が供給されることになるため、蒸気ボイラにスケールが発生することを抑制できる。
【００３７】
また、外部から供給される湯水を軟水に処理する軟水器が、作業台における作業用天板部の下方に設けられているから、軟水器を設置するために、厨房用空間が狭くなって、作業性が低下する不都合が発生することを回避できる。
さらに、作業台における作業用天板部の下方に、軟水器が、蒸気ボイラの横側方に並ぶ状態で設けられているから、作業台の作業用天板部の高さが、軟水器の設置のために高くなることを回避できる。
【００３８】
つまり、軟水器を蒸気ボイラの上方箇所に配設するようにすると、作業台の作業用天板部の高さが高くなり過ぎて、調理作業等の諸々の作業を行い難いものとなるが、上述の如く、作業台の作業用天板部の高さが、軟水器の設置のために高くなることを回避できるため、作業台の作業用天板部の高さを、調理作業等の諸々の作業を行い易い高さにして、作業台の作業用天板部を用いた作業を良好に行えるものとなる。
【００３９】
要するに、本発明の第６特徴構成によれば、上記第５特徴構成による作用効果に加えて、蒸気ボイラにスケールが発生することを抑制しながらも、厨房用空間の作業性が低下すること回避し、しかも、作業台の作業用天板部を用いた作業を良好に行える厨房設備を提供できる。
【００４０】
本発明の厨房設備の第７特徴構成は、上記第１〜第６特徴構成のいずれかに加えて、
前記蒸気ボイラが、前記蒸気利用機器に接続される蒸気供給部に対して複数のボイラ本体を並列接続する形態に構成されている点を特徴とする。
【００４１】
すなわち、蒸気ボイラが、蒸気利用機器に接続される蒸気供給部に対して複数のボイラ本体を並列接続する形態に構成されているから、複数のボイラ本体を稼働させることによって多量の蒸気を供給することが可能となるため、蒸気利用機器が多数装備される場合にも適切に蒸気を供給することができる。
【００４２】
また、複数のボイラ本体を備えているから、複数のボイラ本体のうちの一部が故障やメンテナンスのために稼働できないことがあっても、残りのボイラ本体から供給される蒸気にて、蒸気利用機器を作動させ続けることが可能となる。
【００４３】
要するに、本発明の第７特徴構成によれば、蒸気利用機器が多数装備される場合にも適切に蒸気を供給することができ、しかも、複数のボイラ本体のうちの一部が故障やメンテナンスのために稼働できないことがあっても、蒸気利用機器を作動させ続けることが可能となる厨房設備を提供できる。
【００４４】
本発明の厨房設備の第８特徴構成は、上記第１〜第７特徴構成のいずれかに加えて、
前記蒸気利用機器が、被加熱物を加熱するための水を貯留した処理槽の内部に、前記蒸気ボイラからの蒸気が供給される水加熱用の熱交換パイプを配設した槽式の作業処理器であり、
前記熱交換パイプが、上下方向に沿って螺旋状に巻回する形態に構成されている点を特徴とする。
【００４５】
すなわち、蒸気利用機器が、被加熱物を加熱するための水を貯留した処理槽の内部に、蒸気ボイラからの蒸気が供給される水加熱用の熱交換パイプを配設した槽式の作業処理器であり、このような槽式の作業処理器の具体例としては、茹で麺器や湯煎器がある。
【００４６】
そして、処理槽の内部に配設される熱交換パイプが、上下方向に沿って螺旋状に巻回する形態に構成されているから、熱交換パイプの伝熱面積を増加させて、処理槽の内部に貯留した水を効率良く加熱することができる。
【００４７】
要するに、本発明の第８特徴構成によれば、処理槽の内部に貯留した水を効率良く加熱することができる槽式の作業処理器を備えた厨房設備を提供できる。
【図面の簡単な説明】
【００４８】
【図１】厨房設備の概略斜視図
【図２】蒸気生成部の平面図
【図３】蒸気生成部の正面図
【図４】蒸気生成部と蒸気利用機器との接続状態を示す概略図
【図５】蒸気生成部と茹麺器との配管状態を示す回路図
【図６】茹麺器における要部の分解斜視図
【図７】第１別実施形態の蒸気生成部の配管構成を示す回路図
【図８】第２別実施形態の蒸気生成部を示す平面図
【図９】第２別実施形態の蒸気生成部を示す正面図
【図１０】第２別実施形態の蒸気生成部の配管構成を示す回路図
【発明を実施するための形態】
【００４９】
以下、本発明の実施の形態を図面に基づいて説明する。
（厨房設備の全体構成）
図１に示すように、業務用の厨房設備には、食器洗浄機１、流し台２、作業台３、オーブン付のガスレンジ４、炊飯器５、蒸し器６、冷蔵庫７、湯煎器８、茹麺器９、クイックサーバー（解凍器）１０、及び、温蔵庫１１等の厨房用機器Ｂが、厨房用空間にＬ字状に並ぶ状態で設置され、また、厨房用機器Ｂとしての給茶器１２が、Ｌ字状に設置された厨房用機器Ｂから離れた箇所に設置されている。
尚、ガスレンジ４及びそれに隣接する作業台３の上方箇所には、排気ファンを内蔵した排気フード１３が設置されている。
【００５０】
流し台２とガスレンジ４との間の作業台３には、図２及び図３に示すように、蒸気ボイラ１５を備えた蒸気生成部Ｋが組み込まれている。
そして、図４に示すように、蒸気生成部Ｋにて生成された蒸気（過熱蒸気）が、蒸気供給路Ｌを通して、食器洗浄機１、流し台２に装備した洗浄用蒸気噴出器２Ａ（図１参照）、ガスレンジ４、炊飯器５、蒸し器６、湯煎器８、茹麺器９、クイックサーバー１０、温蔵庫１１、及び、給茶器１２に供給されるように構成されており、これら蒸気が供給される厨房用機器Ｂは、供給される蒸気にて加熱処理や洗浄処理等の作業処理を行う蒸気利用機器Ｊとして機能するように構成されている。
【００５１】
すなわち、食器洗浄機１は、供給される蒸気を洗浄対象物に吹き付けて洗浄処理を行うことになり、同様に、流し台２に装備した洗浄用蒸気噴出器２Ａは、供給される蒸気を鍋類や食器類等の洗浄対象物に吹き付けて洗浄処理を行うことになる。
また、オーブン付のガスレンジ４は、オーブンに収納した調理対象物に蒸気を噴出することにより、調理対象物を加熱調理することになる。
【００５２】
炊飯器５は、供給される蒸気にて炊飯釜を加熱処理することになり、同様に、蒸し器６は、供給される蒸気にて調理対象物を収納した容器を加熱処理することになる。
湯煎器８や茹麺器９は、供給される蒸気にて湯水貯留槽に貯留した湯水を加熱処理することになる。尚、茹麺器９の構成については、後述する。
【００５３】
クイックサーバー１０は、供給される蒸気にて処理物収納空間を加熱処理することになり、温蔵庫１１も同様である。
給茶器１２は、お茶やお湯等の供給用液体を供給される蒸気にて加熱処理することになる。
【００５４】
そして、本実施形態においては、図４に示すように、蒸気利用機器Ｊのうちの、炊飯器５、蒸し器６、湯煎器８、茹麺器９、クイックサーバー１０、温蔵庫１１、及び、給茶器１２にて発生したドレンが、ドレン流路Ｍを通して蒸気生成部Ｋに戻され、戻されたドレンを再加熱して蒸気に再生するように構成されており、このようにドレンを蒸気の生成に利用することにより、省エネルギー化を図るようになっている。
尚、蒸気利用機器Ｊのドレン発生については、茹麺器９を代表にして後述する。
【００５５】
（蒸気生成部の構成）
蒸気生成部Ｋは、図２及び図３に示すように、蒸気ボイラ１５、蒸気ボイラ１５に供給する湯水を貯留する湯水貯留タンク１６、及び、外部から供給される湯水を軟水に処理する軟水器１７等を、作業台３に組み付ける形態で備えている。
すなわち、蒸気ボイラ１５、湯水貯留タンク１６、及び、軟水器１７等が、作業台３の作業用天板部３Ａの下方に、横方向に並ぶ状態で、作業台３の底壁部３Ｂに載置支持されている。
つまり、作業台３が、蒸気ボイラ１５、湯水貯留タンク１６、及び、軟水器１７等からなる蒸気生成部Ｋを備えるユニット状に構成されている。
【００５６】
図５に基づいて、蒸気生成部Ｋについて説明を加えると、給水ストレーナ１８を備えた給水路１９を通して、外部から湯水が軟水器１７に供給され、軟水器１７からの湯水が、給水電磁弁２０を備えた軟水供給路２１を通して湯水貯留タンク１６に供給されるように構成され、そして、湯水貯留タンク１６に貯留された湯水が、湯水供給ポンプ２２によって湯水供給路２３を通して蒸気ボイラ１５に供給されるように構成されている。
尚、湯水供給路２３には、給水逆止弁２４が装備されている。ちなみに、図５には、一対の給水逆止弁２４を設けているが、一つの給水逆止弁２４を設ける形態で実施してもよい。
【００５７】
蒸気ボイラ１５の底部には、加熱用のバーナ２５が装備されて、蒸気ボイラ１５にて生成された蒸気が、蒸気ボイラ１５の上部に設けた蒸気排出路２６を通して蒸気供給路Ｌに供給されるように構成されている。
尚、蒸気排出路２６には、主蒸気弁２７が装備され、蒸気ボイラ１５の上部に、排気路形成用の排気ダクト２８（図２、図３参照）が設けられている。
また、加熱用のバーナ２５には、ガス元弁２９等の弁類が装備されたガス供給路３０、及び、エアフィルター３１が装備された燃焼用空気供給路３２が接続されている。
【００５８】
湯水貯留タンク１６には、ドレン流入路３３が延出され、このドレン流入路３３に、上述したドレン流路Ｍが接続されている。
尚、ドレン流入路３３には、ドレン元弁３４及びドレンストレーナ３５が装備されている。
【００５９】
また、湯水貯留タンク１６には、貯留されている湯水の量を検出するレベルセンサ３６が装備され、このレベルセンサ３６にて湯水の量が設定下限量以下であることが検出されるに伴って、湯水の量が設定上限量となるようにすべく、給水電磁弁２０を開閉操作する給水制御部３７が設けられている。
つまり、湯水貯留タンク１６の湯水貯留量が設定値（設定下限量）以下になると外部からの湯水を補給する湯水補給手段Ｗが、給水電磁弁２０、レベルセンサ３６、及び、給水制御部３７から構成されている。
【００６０】
蒸気ボイラ１５には、水位検出部３８が装備され、蒸気ボイラ１５の運転を制御する運転制御部３９（図２参照）が、水位検出部３８の検出情報に基づいて、湯水供給ポンプ２２を作動させて、蒸気ボイラ１５に湯水を補給するように構成されている。
尚、運転制御部３９は、詳述はしないが、ボイラ圧力やボイラ温度等の各種の制御情報に基づきながら、湯水供給ポンプ２２に加えて、加熱用のバーナ２５や圧力逃し弁等の作動を制御するように構成されている。
【００６１】
（茹麺器の構成）
茹麺器９は、図６に示すように、被加熱物としてのデボ４１を加熱するための湯水を貯留する処理槽４２を備えて、その処理槽４２の内部に、蒸気ボイラ１５からの蒸気が供給される水加熱用の熱交換パイプ４３を配設した槽式の加熱処理器であり、処理槽４２の上方箇所には、デボ４１を挿脱する複数個のデボ挿入孔４４が形成された上部板４５が設けられている。
【００６２】
そして、熱交換パイプ４３が、上下方向に沿って螺旋状に巻回する形態に構成されて、処理槽４２の内部の水を効率良く加熱するようになっている。
ちなみに、例示はしないが、デボ挿入孔４４を開閉する蓋体を上部板４５に装備するようにすれば、処理槽４２の内部の水を効率良く加熱できるものとなる。尚、蓋体の構成としては、デボ４１が挿入されるに伴って、そのデボ４１にて押し開かれ、デボ４１が上方に取り出されるに伴って、付勢力にて閉じ状態に自動復帰するように構成すれば、蓋体の開閉操作が不要となる。
【００６３】
図５に基づいて、茹麺器９の配管構成を説明すると、蒸気供給路Ｌに接続された蒸気用中継路４６を通して蒸気が供給される蒸気通流路４７が設けられ、熱交換パイプ４３が、蒸気通流路４７に接続されている。
また、熱交換パイプ４３における蒸気通流路４７の接続側とは反対側に、蒸気中からドレンを分離するトラップ４８が接続され、トラップ４８にて分離されたドレンが、ドレン用中継路４９を通してドレン流路Ｍに流動するように構成されている。
【００６４】
したがって、蒸気供給路Ｌから熱交換パイプ４３に蒸気が供給されて、処理槽４２の内部の水が加熱され、その加熱により発生したドレンが、ドレン流路Ｍを通して、蒸気生成部Ｋの湯水貯留タンク１６に流動されることになる。
ちなみに、詳述はしないが、炊飯器５、蒸し器６、湯煎器８、クイックサーバー１０、温蔵庫１１、及び、給茶器１２等の蒸気利用機器Ｊにも、茹麺器９に装備したトラップ４８と同様なトラップが装備されて、そのトラップにて分離されたドレンが、ドレン流路Ｍを通して、蒸気生成部Ｋの湯水貯留タンク１６に流動されることになる。
【００６５】
ちなみに、蒸気用中継路４６には、蒸気の供給を断続する蒸気元弁５０が装備されている。
また、蒸気通流路４７には、ストレーナ５１、温調用電磁弁５２、及び、流路開閉弁５３が装備され、さらに、蒸気通流路４７の圧力が設定上限圧以上になると開く安全弁５４、及び、安全弁５４を通して排出される蒸気を外部に排出するサイレンサー５５が設けられている。
【００６６】
以上の通り、本実施形態によれば、作業台３の下方にユニット状に組み付けた蒸気生成部Ｋからの蒸気を蒸気利用機器Ｊに供給して、加熱処理や洗浄処理等の作業処理を行えるように構成されている。
そして、蒸気生成部Ｋの上部には、作業台３の作業用天板部３Ａが位置するため、蒸気生成部Ｋの上方箇所を、調理作業等の作業用空間として利用できるようになっている。
【００６７】
また、蒸気利用機器Ｊにて発生したドレンが、蒸気生成部Ｋの湯水貯留タンク１６に戻されるようになっているから、蒸気ボイラ１５にて蒸気を生成するために消費するガス燃料の消費量を減少させて、省エネルギー化を図れるようになっている。
【００６８】
〔第１別実施形態〕
次に、第１別実施形態を説明するが、この第１別実施形態は、蒸気利用機器Ｊからドレンが回収されない場合における蒸気生成部Ｋの構成を示すものであり、上記実施形態における蒸気生成部Ｋとは異なる部分についてのみ説明して、上記実施形態と同様な構成については、上記実施形態と同じ符号と付して、その詳細な説明を省略する。
【００６９】
すなわち、図７に示すように、この第１別実施形態の蒸気生成部Ｋにおいては、湯水貯留タンク１６に、ボールタップ式の水供給弁５６が装備されて、湯水貯留タンク１６に貯留されている湯水の量が湯水の量が下限量以下になると、ボールタップ式の水供給弁５６の作動により、軟水供給路２１を通して湯水が湯水貯留タンク１６に補給されるように構成されている。
【００７０】
つまり、この別実施形態においては、蒸気利用機器Ｊからドレンが回収されない形態であるので、蒸気利用機器Ｊにて蒸気が消費されるに伴って、湯水貯留タンク１６の湯水が順次蒸気ボイラ１５に供給され、それに伴って、軟水供給路２１を通して湯水が湯水貯留タンク１６に補給されることになる。
【００７１】
〔第２別実施形態〕
次に、第２別実施形態を説明するが、この第２別実施形態は、上記の第１別実施形態と同様に、蒸気利用機器Ｊからドレンが回収されない場合における蒸気生成部Ｋの構成を示すものであり、上記実施形態における蒸気生成部Ｋとは異なる部分についてのみ説明して、上記実施形態と同様な構成については、上記実施形態と同じ符号と付して、その詳細な説明を省略する。
【００７２】
すなわち、この第２別実施形態の蒸気生成部Ｋにおいては、図８及び図９に示すように、蒸気ボイラ１５が、一対のボイラ本体１５Ａを備えるように構成されている。
そして、作業台３の作業用天板部３Ａの下方に、一対のボイラ本体１５Ａ、蒸気ボイラ１５に供給する湯水を貯留する湯水貯留タンク１６、及び、外部から供給される湯水を軟水に処理する軟水器１７等が、横方向に並ぶ状態で、作業台３の底壁部３Ｂに載置支持されている。
【００７３】
つまり、作業台３が、蒸気ボイラ１５を構成する一対のボイラ本体１５Ａ、湯水貯留タンク１６、及び、軟水器１７等からなる蒸気生成部Ｋを備えるユニット状に構成されている。
【００７４】
図１０に示すように、第１別実施形態と同様に、湯水貯留タンク１６に、ボールタップ式の水供給弁５６が装備されて、湯水貯留タンク１６に貯留されている湯水の量が湯水の量が下限量以下になると、ボールタップ式の水供給弁５６の作動により、軟水供給路２１を通して湯水が湯水貯留タンク１６に補給されるように構成されている。
【００７５】
湯水供給路２３が、一対のボイラ本体１５Ａの夫々に対して湯水を供給すべく一対の分岐路２３Ａに分岐され、各分岐路２３Ａには、湯水供給用電磁弁５７が装備されている。
また、一対のボイラ本体１５Ａの夫々から延出される蒸気排出路２６が、蒸気供給路Ｌに接続される蒸気供給部Ｄに接続されている。つまり、一対のボイラ本体１５Ａが、蒸気供給部Ｄに並列接続されている。
【００７６】
したがって、この第２別実施形態においては、一対のボイラ本体１５Ａを作動させて、多量の蒸気を蒸気利用機器Ｊに供給することができ、また、一対のボイラ本体１５Ａの片側を停止させかつ他方側を作動させ続けることにより、メンテナンス等を行う際にも、蒸気を蒸気利用機器Ｊに供給することができる。
【００７７】
尚、この第２別実施形態においては、蒸気ボイラ１５が、一対のボイラ本体１５Ａを備える場合を例示したが、蒸気ボイラ１５に、３台以上のボイラ本体１５Ａを備えさせる形態で実施してもよい。
【００７８】
〔その他の別実施形態〕
次に、その他の別実施形態を列記する。
（イ）上記実施形態、第１別実施形態及び第２別実施形態においては、作業台３が、蒸気生成部Ｋが組み付けられたユニット状に構成される場合を例示したが、例えば、作業台３が設置される床部に、蒸気生成部Ｋを設置する形態で実施してもよい。
【００７９】
（ロ）上記実施形態、第１別実施形態及び第２別実施形態においては、作業台３における作業用天板部３Ａの下方に、蒸気ボイラ１５に加えて、湯水貯留タンク１６や軟水器１７が配置される場合を例示したが、湯水貯留タンク１６や軟水器１７のうちの一方又は両者を、作業用天板部３Ａの下方箇所とは異なる箇所に配置する形態で実施してもよい。
【００８０】
（ハ）上記実施形態、第１別実施形態及び第２別実施形態においては、多数台の蒸気利用機器Ｊが、厨房用機器Ｂとして並設される場合を例示したが、例えば、１台や２台の蒸気利用機器Ｊを厨房用機器Ｂとして並設する形態で実施する等、厨房用機器Ｂとして並設する蒸気利用機器Ｊの数は種々変更できる。
【００８１】
（ニ）上記実施形態、第１別実施形態及び第２別実施形態においては、業務用の厨房設備を例示したが、本発明は、家庭用の厨房設備を構成する場合にも適用できる。
【符号の説明】
【００８２】
３        作業台
３Ａ      作業用天板部
１５      蒸気ボイラ
１５Ａ    ボイラ本体
１６      湯水貯留タンク
１７      軟水器
４２      処理槽
４３      熱交換パイプ
Ｂ        厨房用機器
Ｊ        蒸気利用機器
Ｍ        ドレン流路
Ｓ        厨房用空間
Ｗ        湯水補給手段
【図１】
2014180451.tif 000003
【図２】
2014180451.tif 000004
【図３】
2014180451.tif 000005
【図４】
2014180451.tif 000006
【図５】
2014180451.tif 000007
【図６】
2014180451.tif 000008
【図７】
2014180451.tif 000009
【図８】
2014180451.tif 000010
【図９】
2014180451.tif 000011
【図１０】
2014180451.tif 000012